(57)【要約】      （修正有）【課題】吊り下げ部を形成する折り返し板と蓋部とが確実に係止され、箱本体を陳列棒に吊り下げた場合でも、係止が不用意に外れない包装用箱を提供する。【解決手段】胴部２、蓋部３及び底部４からなる箱本体１０と、吊り下げ部１１とからなり、蓋部３の先端には、背面板２２又は吊り下げ部１１の少なくとも一方に沿う蓋部先端片３１が延設され、蓋部３には係止スリット３４が形成され、吊り下げ部１１には係止片２６が形成されてなる包装用箱Ａであって、前記係止片２６には、幅狭の基部の一つの端側において係止スリット３４と係止する幅方向に長い突出部を形成し、前記蓋部先端片３１を係止スリット３４の長手方向で前記係止片２６の係止する一つの端側の方向にスライド移動させた状態で前記係止片２６を係止スリット３４に挿入し、該係止片２６を基部まで挿入した後にスライド移動を解除することで係止スリット３４に係止させるよう構成した包装用箱Ａ。【選択図】図３
2008114908.tif 000002
【特許請求の範囲】
【請求項１】
正面板、背面板及び両側面板を備える胴部、正面板の上辺の正面側折り曲げ線を介して延設された胴部の上端開口を覆う蓋部、並びに胴部の下端開口を塞ぐ底部からなる箱本体と、該背面板から上方に延在した延在部及び該延在部より正面側に折り返された折り返し板から形成された吊り下げ部とからなり、
前記蓋部の先端には、前記背面板又は吊り下げ部の少なくとも一方に沿う蓋部先端片が、背面側折り曲げ線を介して延設され、
前記蓋部の前記背面側折り曲げ線の近傍には、該背面側折り曲げ線に沿う係止スリットが形成され、
前記折り返し板の先端には、前記係止スリットに挿入可能な係止片が形成されてなる包装用箱であって、
前記係止片には、幅狭の基部の一つの端側において係止スリットと係止する幅方向に長い突出部を形成し、
前記蓋部先端片を係止スリットの長手方向で前記係止片の係止する一つの端側の方向にスライド移動させた状態で前記係止片を係止スリットに挿入し、該係止片を基部まで挿入した後にスライド移動を解除することで基部の一つの端側において係止スリットに係止させるよう構成した包装用箱。
【請求項２】
前記係止スリットを該係止スリットの中央と前記係止片の幅方向の中心線とが該係止スリットの軸方向に偏位する位置に形成し、
前記蓋部先端片を係止スリットの軸方向で前記偏位の方向とは逆の方向にスライド移動させた状態で前記係止片を係止スリットに挿入し、該係止片を基部まで挿入した後、スライド移動を解除して係止を完了させるように形成してなる請求項１記載の包装用箱。
【請求項３】
前記蓋部先端片の前記偏位の方向とは逆の方向の端縁を、前記偏位の距離以上の距離で背面板と側面板との間の稜線より内側に設けてなる、請求項２に記載の包装用箱。
【請求項４】
前記蓋部先端片を、前記背面側折り曲げ線を介して上方に折り曲げ、前記吊り下げ部に沿わせてなる、請求項１〜３のいずれかに記載の包装用箱。
【請求項５】
前記蓋部先端片を、係止スリット近傍部分と、その他部分とに分け、係止スリット近傍部分を前記背面側折り曲げ線を介して上方に折り曲げて前記吊り下げ部に沿わせ、その他部分を前記背面側折り曲げ線を介して下方に折り曲げて前記背面板に沿わせてなる、請求項１〜３のいずれかに記載の包装用箱。
【発明の詳細な説明】
【技術分野】
【０００１】
本発明は、衣料品、雑貨、薬品、電気製品、電気部品等の商品を包装し、フックに吊り下げて、店頭に展示することが可能な包装用箱に関する。
【背景技術】
【０００２】
フックに吊り下げて店頭に展示する為の包装用箱としては、所定形状に切断された紙や合成樹脂シートからなる基材を組み立てることにより製作される、正面板、背面板及び両側面板を備える胴部、蓋部並びに底部からなる箱本体と、該背面板から延在した延在部及び該延在部より正面側に折り返された折り返し板から形成された吊り下げ部とからなる包装用箱が知られている。
このような包装用箱においては、前記折り返し板の先端に係止片を、蓋部に係止スリットを、各々形成し、係止片を係止スリットに挿入することにより蓋部を係止することが行われている。（例えば、特許文献１及び２参照）
【０００３】
しかし、特許文献１の陳列用紙箱は、係止片が係止スリットに上方（高さ方向）から挿入されて係止する方式であるため、箱本体の形状や、内容物の大きさ、重量等によっては、係止片が係止スリットから抜け易いという問題がある。
一方、特許文献２の包装用箱は、係止片と係止スリットとを設けるのに加えて、更に、蓋部に吊り下げ部に当接する突縁部を設け、かつ、折り返し板の先端辺の両端部にも突出部を設け、該突出部を背面板に沿って箱内部側に差し込むことにより、蓋部と吊り下げ部との係止を確実にしている。しかし、延在部を折り返して形成されている折り返し板には、その折り返しを元に戻し、延在部から離れようとする力が潜在的に存在し、箱本体に下方への力が加えられた場合には、その潜在的な力が係止片を介して蓋部に加えられて蓋部が浮き易くなり、係止も外れ易くなる。
【０００４】
【特許文献１】実公昭５９−３８３４３号公報
【特許文献２】特開２００６−５６５６０号公報
【発明の開示】
【発明が解決しようとする課題】
【０００５】
本発明は、上記背景技術の問題点に鑑み、吊り下げ部を形成する折り返し板と蓋部とが確実に係止され、箱本体を陳列棒に吊り下げた場合でも、係止が不用意に外れたりすることのない包装箱を提供することを目的とする。
【課題を解決するための手段】
【０００６】
本発明者らは、係止片と係止スリットとを偏位させて形成し、蓋部の先端片を偏位が解消する方向にスライド移動させた状態で係止片を係止スリットに挿入し、その後スライド移動を解除して係止を完了させるように形成してなる包装用箱が、その課題を解決しうることを着想した。
即ち本発明は、
正面板、背面板及び両側面板を備える胴部、正面板の上辺の正面側折り曲げ線を介して延設された胴部の上端開口を覆う蓋部並びに胴部の下端開口を塞ぐ底部からなる箱本体と、該背面板から上方に延在した延在部及び該延在部より正面側に折り返された折り返し板から形成された吊り下げ部とからなり、
前記蓋部の先端には、前記背面板又は吊り下げ部の少なくとも一方に沿う蓋部先端片が、背面側折り曲げ線を介して延設され、
前記蓋部の前記背面側折り曲げ線の近傍には、該背面側折り曲げ線に沿う係止スリットが形成され、
前記折り返し板の先端には、前記係止スリットに挿入可能な係止片が形成されてなる包装用箱であって、
前記係止片には、幅狭の基部の一つの端側において係止スリットと係止する幅方向に長い突出部が形成され、
前記蓋部先端片を係止スリットの長手方向で前記係止片の係止する一つの端側の方向にスライド移動させた状態で前記係止片を係止スリットに挿入し、該係止片を基部まで挿入した後にスライド移動を解除することで基部の一つの端側において係止スリットに係止させるように構成した包装用箱である。
【発明の効果】
【０００７】
本発明の包装用箱によれば、係止片と係止スリットとを偏位して設けているため、係止スリットを設けている蓋部の先端片をスライドさせて係止片を係止スリットに挿入し、スライドを元に戻せば、確実に係止が行われ、外れにくくなる。従って、包装用箱に内容物を収納して陳列棒に吊り下げた状態においても、蓋部は安定して折り返し板に係止され、不用意に外れることが防止される。
【発明を実施するための最良の形態】
【０００８】
以下、本発明の包装用箱を、図を参照して説明する。
図１は、本発明の包装用箱の１実施例を示す斜視図であり、図２は図１の包装用箱を形成するブランクの展開図であり、図３は図１の包装用箱における箱本体の蓋部と吊り下げ部の折り返し板とを対比して示す拡大図である。
図１（Ａ）及び（Ｂ）に示す如く、包装用箱Ａは、箱本体１０と吊り下げ部１１とから形成されている。
箱本体１０は、正面板２１、背面板２２及び両側面板２３を備える胴部２、正面板２１の上辺の正面側折り曲げ線３２を介して延設された、胴部２の上端開口を覆う蓋部３並びに胴部の下端開口を塞ぐ底部４から形成されている。
吊り下げ部１１は、背面板２２から上方に延在した延在部２４及び該延在部２４より正面側に折り返された折り返し板２５から形成されている。
蓋部３の先端には、背面板２２又は吊り下げ部１１の少なくとも一方に沿う蓋部先端片３１が、背面側折り曲げ線３３を介して、延設されている。
蓋部３の背面側折り曲げ線３３の近傍に、背面側折り曲げ線３３に沿う係止スリット３４が形成され、一方、折り返し板２５の先端には、係止スリット３４に挿入可能な係止片２６が形成されている。
【０００９】
図１に示した包装用箱は、図２に展開図を示したブランクを順序に従って組立て、図１の（Ａ）に示した状態から、係止片２６を係止スリット３４に挿入・係止することにより、図１の（Ｂ）に示した状態の包装用箱が得られる。
【００１０】
本発明の包装用箱は、上記のような包装用箱において、係止片２６は最大幅が係止スリット３４の幅以下であって挿入可能な幅で形成されているが、係止片２６を包装用箱の高さ方向にまっすぐに係止スリット３４に挿入することは不可能であって、幅方向に相対的位置をスライド移動させた状態で挿入可能とし、係止片２６の幅狭の基部の一つの端側のみを係止スリット３４（の一つの端側）に係止させることを特徴とする。即ち、図３に示すように、包装用箱の幅方向において係止片２６の基部の一つの端側２６ａは、係止スリット３４に係止可能な範囲にあるが、係止片２６の基部の一つの端側２６ａにおいて形成された幅方向に長い突出部２６ｂは、係止スリット３４の端部４３ａよりも距離Ｗ１だけ外側に位置している。
また、本発明の包装用箱は、係止片２６の中心線と係止スリット３４の中心線とを偏位させて設けるものが好適である。即ち、図３に示すように、係止片２６の最大幅と係止スリット３４の長さとを、略同じ２Ｌとしているが、係止スリットの幅方向中央（図中、一点破線と交わる位置）は、係止片２６の幅方向中心を通る上下に延びる中心線（図中、一点破線で示す）に対して、係止スリット３４の軸方向（図３中の右方向）に距離Ｗ２だけ偏位する位置に、係止スリット３４を形成している。
そして、係止片２６を係止スリット３４に挿入して係止させる際には、蓋部先端片３１を係止スリット３４の軸方向で偏位の方向とは逆の方向（図３中の左方向）にスライド移動させ、係止スリット３４の中央と係止片２６の上下に延びる中心線とがほぼ一致し、偏位が解消した状態で係止片２６を係止スリット３４に挿入し、係止片２６を基部２６ａまで挿入した後、スライド移動を解除して、係止を完了させる。
係止が完了した状態では、係止片２６の基部の一つの端側２６ａにおいて係止スリット３４の端部３４ａが係合する形となるので、偏位の距離Ｗ２は、係止片２６の基部２６ａと最大幅との長さの差の半分、即ち図中のＬとＭとの差（Ｌ−Ｍ）と同等とするのが適当である。また、偏位の距離Ｗ２は、係止片２６が係止スリット３４よりも幅方向で外側に位置する側において、基部２６ａより最大幅の部分が幅方向に突出した長さと同等とすることも可能である。一方、係止片２６が係止スリット３４の範囲内に位置する側においては、最大幅の部分が基部２６ａより突出しているか、又は、突出していない状態であっても良い。
なお、図３の例では、図中の右方向に偏位させているが、逆に、図中の左方向に偏位させても差し支えない。
【００１１】
図１〜３に示した実施例においては、蓋部先端片３１は、蓋部３よりも幅を狭く、即ち、図３中のＺ１とＺ２とがＺ１＜Ｚ２の関係になるように形成しているが、必ずしも両者の幅を同じくする必要はなく、蓋部３の幅と同じ、即ち、Ｚ１＝Ｚ２となるように形成しても差し支えない。
また、図１〜３に示した実施例に示すように、蓋部先端片３１は、背面側折り曲げ線３３を介して上方に折り曲げて、吊り下げ部１１に沿わせることが好ましいが、逆に、背面側折り曲げ線３３を介して下方に折り曲げて、背面板２２に沿わせ、箱本体１０の内部に差し込む形に形成してもよい。そして、蓋部先端片３１を背面側折り曲げ線３３を介して上方に折り曲げて吊り下げ部１１に沿わせる場合には、蓋部先端片３１が吊り下げ部１１に設けられた吊り下げ用の孔１１ａの領域に延在しないことが好ましい。本実施形態では、蓋部先端片３１は、吊り下げ用孔１１ａに重複する部分を凹部とする凹形状で形成している。
【００１２】
図４は、本発明の包装用箱の１実施例を示す斜視図であり、図５は、図４の包装用箱における箱本体１０の蓋部３と吊り下げ部１１の折り返し板２５とを対比して示す拡大図である。
図４に示した包装用箱と、図１に示した包装用箱とは、蓋部先端片３１の折り返し方向において異なる。
即ち、図４に示した包装用箱においては、図５に示すように、蓋部先端片３１を、係止スリット近傍部分３１ａと、その他部分３１ｂ、３１ｃに分け、係止スリット近傍部分３１ａを背面側折り曲げ線３３を介して上方に折り曲げて吊り下げ部１１に沿わせ、その他部分３１ｂ、３１ｃを背面側折り曲げ線３３を介して下方に折り曲げて、背面板２２に沿わせ、箱本体１０の内部に差し込む形に形成している。
【００１３】
このように、蓋部先端片３１の係止スリット近傍部分３１ａを上方に折り曲げて形成することにより、係止を解除して蓋部を開ける際には、その上方に折り曲げた３１ａが摘み片となって、蓋部を容易に開けることができ、且つ、その他部分を背面側折り曲げ線３３を介して下方に折り曲げて、背面板２２に沿わせて箱本体１０の内部に差し込むので、係止を解除するまでの蓋部３の固定を確実とすることができる。
【００１４】
なお、特に、図４及び５に示す如く側面板２１近傍の蓋部先端片３１のその他部分３１ｂ、３１ｃ、又は蓋部先端片３１全体を下方に折り曲げて、背面板２２に沿わせ、箱本体１０の内部に差し込む形に形成した包装用箱の場合は、係止片２６を係止スリット３４に挿入し係止させる際の蓋部先端片３１のスライド移動を容易にするために、即ちスライド移動によって蓋部先端片のその他部分３１ｂ又は３１ｃが側面板２１又は側面板２１と背面板２３との稜線に当接しないようにすることが好ましい。そこで、図５に示すように、蓋部先端片３１は、スライド移動する側にある端縁（図５の場合は、その他部分３１ｂの端縁）を背面板２３と側面板２１との稜線より内側に距離Ｘだけ欠如して設けるのが好ましい。この内側に欠除した距離Ｘは、偏位の距離Ｗ２以上の距離であれば、特に制限はない。
【００１５】
本発明の包装用箱においては、以上のような形態を採ることにより、係止は確実に行われるが、更に、折り返し板２５の係止片２６を除く部分の端縁を、側方部の高さ方向の長さが、中央部の高さ方向の長さよりも大きくなるように形成するのが好ましく、それにより、係止片を係止スリットに係止した状態で、折り返し板の蓋部に対向する端縁の側方部において蓋部を押すことになり、蓋部が確実に固定される。
なお、図３及び図５では、折り返し板２５の高さ方向の長さが、中央部から側方部に向けて連続的に長くなるようにして、折り返し板２５の端縁を傾斜させて形成しているが、中央部より側方部の方が長くなっているのであれば、必ずしも幅方向に連続的に長くする必要はなく、不連続に長くなるように形成してもよい。
図３及び図５中の、折り返し板２５の高さ方向の長さが幅方向において相違し、好ましくは中央領域よりも端縁に向かって長くなっている。この折り返し板２５先端の幅方向における勾配高さＹは、折り返し板２５による蓋部３への当接効果（又はスプリング効果）が得られる長さであればよく、逆に、蓋部３に加わる力が強くなりすぎると包装用箱を変形させる虞があるので、包装用箱を形成する紙や合成樹脂シートの厚みと同等程度とすることが好ましい。
図１〜５に示した例では、係止片は両側面を角形としているが、基部を幅狭に形成している限り、円弧状その他の形状を採ることができる。
また、 図１〜５に示した例では、箱本体は側面板２３が平面の四角筒状となっているが、側面板２３が折れ曲がった、六角筒状その他の形状を採ることもできる。
【００１６】
本発明の包装用箱を形成する材料としては、この種の包装用箱に通常使用される材料のいれもが使用可能であり、白板紙、マニラボール等の紙基材やポリエチレンテレフタレート、ポリプロピレン、ポリ塩化ビニル、ポリスチレン等のプラスチックシートを例示することができる。
【産業上の利用可能性】
【００１７】
本発明の包装用箱は、衣料品、雑貨、薬品、電気製品、電気部品等の商品を包装し、フックに吊り下げて、店頭に展示するために用いる。
【図面の簡単な説明】
【００１８】
【図１】本発明の包装用箱の１実施例を示す斜視図である。
【図２】図１の包装用箱を形成するブランクの展開図である。
【図３】図１の包装用箱における箱本体の蓋部と吊り下げ部の折り返し板とを対比して示す拡大図である。
【図４】本発明の包装用箱の１実施例を示す斜視図である。
【図５】図４の包装用箱における箱本体の蓋部と吊り下げ部の折り返し板とを対比して示す拡大図である。
【符号の説明】
【００１９】
Ａ：包装用箱
１０：箱本体
１１：吊り下げ部
２：胴部
２１：正面板
２２：背面板
２３：側面板
２４：延在部
２５：折り返し板
２６：係止片
３：蓋部
３１：蓋部先端片
３２：正面側折り返し線
３３：背面側折り返し線
３４：係止スリット
【図１】
2008114908.tif 000003
【図２】
2008114908.tif 000004
【図３】
2008114908.tif 000005
【図４】
2008114908.tif 000006
【図５】
2008114908.tif 000007